Podtech/llm-jp-corpus-v4-ja_patent huggingface dataset:
(57)【要約】 【課題】薄膜空気管構造でありながら、風雨に耐えうる剛性を有するとともに、携帯しやすくするため出来る限り構造を簡略化し軽量化すること。また、空気膜製品として製作し易いようにすること。【解決手段】製作し易く、軽くするために、２枚のシートをヒトデ状に溶着し中央に空気注入逆止弁を取り付けただけのものとした。また、風に強くするためにヒトデ状の足を中心から多角形の各角まで伸ばし、その足と足の間のシートを三角状に切除して全体形状を多角錐とした。【選択図】図１
2010094317.tif 000002
【特許請求の範囲】
【請求項１】
骨組みを薄膜の空気管で構成し、雨除けを円錐形あるいは角錐形の薄膜で構成する傘において、２枚の薄膜を重ねたものをヒトデ状に溶着し、これに逆止弁を取り付け、空気を注入するとヒトデ状の風船の骨組が形成されることを特徴とする。
【発明の詳細な説明】
【技術分野】
【０００１】
本発明は、２枚の薄膜と逆止弁で構成し、２枚の薄膜をヒトデ状に溶着し、ヒトデ状部分に空気を入れて使用する折りたたみ可能な傘に関するものである。
【背景技術】
【０００２】
従来の金属製の傘は、骨組みと柄が金属で構成されているため、重く嵩張り携帯に不便であり、先端の金属の部分が危険でもあった。
【０００３】
また、既に発明及び考案されている空気を入れて使用するビニール製等の薄膜構造の傘は、構造が複雑なため製作が困難であり、構造的に実用的でないものが多い。
【０００４】
この改善策として、重ねた２枚の多角形の薄膜をヒトデ状に溶着し、このヒトデ状部分の中央に逆支弁を取り付けただけの非常に簡単な構造とした。また、構造的にはヒトデ状部分の中心から各角方向に足を出すことにより風に煽られにくくしている。
【特許文献１】特開２００５−０７４０３９
【発明の開示】
【発明が解決しようとする課題】
【０００５】
解決しようとする課題は、従来のものが重く嵩張り携帯に不便であること、更に金属製のものは金属部の先端が危険であること、また空気膜構造のものはリング状の空気管を使用しているため製作が難しく、構造的に風の影響を受け易いことである。
【課題を解決するための手段】
【０００６】
本発明は、携帯性を高めるため、空気を入れなければビニール製の風呂敷のようにシート状のものであり、安全性を高めるために金属等の硬いものは使用していない。また、製作し易くするために２枚の薄膜をヒトデ状に溶着し空気逆止弁を付けただけの物とした。
従って、本発明には柄の部分は含んでいない。
【発明の効果】
【０００７】
使用しない時は折りたたんで衣類のポケット等に収納できる程度にコンパクトなものであり、使用時はヒトデ状部分に空気を注入し、別途取っ手か柄をつけて使用する。コンパクトで軽く携帯に便利であるばかりか、使用時も軽快であるためバンド等で頭に直接固定しても使用できる。
【発明を実施するための最良の形態】
【０００８】
２枚のシートは、加工性から四角形か五角形が最良である。２枚のシート溶着後は、ヒトデ状部分の足と足の間のシートを一部、三角状に切除し傘を角錐形とした方が風にも強い。また、実用にあたっては、この傘に、手で差せるよう取っ手を付けるか、頭に固定できるバンドを付けるか
、空気管の柄を中心部に溶着し使用する。
【実施例１】
【０００９】
図１は、本発明の断面図であり、１は風船部分、２は雨除け部分、３は空気注入口である。 
【００１０】
図２は、本発明の平面図であり、１は風船部分、２は雨除け部分、３は空気注入口である。 
【産業上の利用可能性】
【００１１】
柄と骨組みの空気を抜けば非常にコンパクトで携帯しやすくなり、空気を入れれば雨傘や日傘になる。 
また、頭への固定ベルト等を本発明に取り付けることにより、帽子のように使え両手がフリーになる。 
【図面の簡単な説明】
【００１２】
【図１】断面図である。
【図２】平面図である。
【符号の説明】
【００１３】
１    風船部分 
２    雨除け部分
３    空気注入口 
【図１】
2010094317.tif 000003
【図２】
2010094317.tif 000004
(57)【要約】      （修正有）【課題】ブロック塀を利用してプランターで草花や野菜の栽培をするとき落下事故など無いようにプランターをブロックの上に安全に設置でき、かつ装脱着が容易なブロック塀用プランター設置具を提供する。【解決手段】ブロック塀用プランター設置具１をブロック塀に差し込み取り付ける。プランター設置具１をより安全度を増すためブロック設置用ネジ穴２を利用しネジ止めする。プランター設置具にプランターおよび、それ方形以外の形状の鉢等の落下防止用の側板３を側板用ネジ穴４を利用しネジ９止めする。プランター設置具にプランター７および、それ方形以外の形状の鉢等の落下防止用の底板５を底板用ネジ穴を利用しネジ止めする。【選択図】図１
2010094119.tif 000002
【特許請求の範囲】
【請求項１】
ブロック塀用プランター設置具（１）。
【請求項２】
ブロック塀用プランター設置具（１）のブロック設置用ネジ穴（２）。
【請求項３】
ブロック塀用プランター設置具（１）に付帯する落下防止用の側板（３）及び側板用ネジ穴（４）。
【請求項４】
ブロック塀用プランター設置具（１）に付帯する落下防止用の底板（５）及び底板用ネジ穴（６）。
【発明の詳細な説明】
【技術分野】
【０００１】  この発明は、ブロック塀を利用してプランターで草花や野菜の栽培をするときプランターの落下による事故を無くするための器具で安全に設置でき、装着・脱着が容易なブロック塀用プランター設置具に関するものである。
【背景技術】
【０００２】  最近、家庭園芸が盛んになり、少しの場所があれば野菜や草花の栽培ができるプランター栽培は増加の一途である。プランターが増加し置き切れずブロック塀の上や壁面を利用し栽培している風景を見かけるようになった。
しかし、空いた土地、ブロック塀の上を利用したくても風や、小動物、子供など少しの力が加わるだけで落下する恐れがあるため、落下事故の危険を考えほとんどの人は利用していなかった。
いままでは、ブロック塀の上にプランターを安全に設置できる適当な器具がなかった。
【発明の開示】
【発明が解決しようとする課題】
【０００３】  これは次のような欠点があった。
（イ）ブロック塀の上にプランターを安全に設置する器具がなく、そのままプランターを置くと不安定で危険であった。
（ロ）ブロック塀に安全に固定するためには、ブロックに穴をあけたものを利用し、紐などで固定するなどの方法しかなく、固定するためには時間もかかり、美観も悪くしていた。
（ハ）ブロック塀の上面の寸法は幅１０ｃｍか１５ｃｍと狭く、プランターは底面の横幅約１１ｃｍ、上面の外幅約２３ｃｍ、高さ１９ｃｍで土の内容量は約１４リットルが一般的で植物を栽培するために土と水を潅水した状態だと約２０ｋｇの重さになり上に置くと不安定で落下すると危険であった。
（ニ）紐、針金などを使用するとプランターを固定するときも固定解除するときも多くの時間がかっかっていた。
本発明は、以上のような欠点をなくすためになされたものである。
【課題を解決するための手段】
【０００４】  ブロック塀用プランター設置具（１）をブロック塀に差し込み装着する。ブロック塀用プランター設置具（１）をブロック固定用ネジ穴（２）を利用しネジ止めする。プランター設置具にプランターおよび、それ方形以外の形状の鉢等の落下防止用の側板（３）を側板用ネジ穴（４）を利用しネジ止めする。プランター設置具にプランターおよび、それ方形以外の形状の鉢等の落下防止用の底板（５）を底板用ネジ穴（６）を利用しネジ止めする。
本発明は、以上の構成よりなるブロック塀用プランター設置具である。
【発明の効果】
【０００５】  ブロック塀用プランター設置具をブロック塀に差し込み装着するだけで、ブロック塀上でプランター栽培が可能になり以下の効果が生まれる。
（イ）ブロック塀の上にブロック塀用プランター設置具にプランターを置くと風や、小動物、子供など少しの力が加わるだけでの落下はなくなり安定し危険がなくなり、安心してプランター栽培ができる。
（ロ）ブロック塀用プランター設置具をブロック塀に差し込むだけで設置でき、時間もかからず、美観も損ねない。
（ハ）ブロック塀用プランター設置具（１）をブロック塀に差し込み取り付ける。プランター設置具（１）をより安全度を増すためブロック塀に止めるためのネジ穴（２）を利用しネジ止めする。プランター設置具にプランターおよび、各種鉢類の落下防止用の側板（３）を側板用ネジ穴（４）を利用しネジ止めする。プランター設置具にプランターおよび、各種鉢類の落下防止用の底板（５）を底板用ネジ穴（６）を利用しネジ止めする。以上の装着作業により、落下防止対策ができプランターおよび、各種鉢類の設置が可能になり、ブロックの塀上が安心安全な栽培場所になる。
（ニ）台風対策などで、撤去する場合も短時間できる。
本発明は、土地の有効利用ができ、麈も積もれば山となる発想ではあるが、野菜栽培で食料自給率の回復や食の安全対策及び植物栽培全般でＣＯ２削減など環境問題改善にも役立つブロック塀用プランター設置具である。
【発明を実施するための最良の形態】
【０００６】  以下、本発明を実施するための最良の形態について説明する。
ブロック塀用プランター設置具（１）の材質は、全て３ｃｍ程度の幅と３ｍｍ程度の厚さがあり、鉄板程度の強度が必要である。ブロック塀用プランター設置具（１）の構成は、基盤から上部に２本の腕部と下部に２本の足部からなり、それぞれに固定用の穴を備付したものである。腕部の役割はプランターの保持および側板の固定である。足部の役割はブロック塀用プランター設置具（１）のブロック塀への固定である。基盤の役割はブロック塀の上面で接着し、プランターを水平保持すること及びプランター落下防止用鉢類の底板の固定である。
発明品のプランターのみの実施方法はブロック塀用プランター設置具（１）をブロック塀に差し込み、プランターを上に置き栽培するだけでよい。
発明品のプランターのみ以外の実施方法はブロック塀用プランター設置具（１）をブロック塀に差し込み、プランター設置具（１）をより安全度を増すためブロック塀に止めるためのネジ穴（２）を利用しネジ止めする。プランター設置具にプランターおよび、それ方形以外の形状の鉢等の落下防止用の側板（３）を側板用ネジ穴（４）を利用しネジ止めする。プランター設置具にプランターおよび、それ方形以外の形状の鉢等の落下防止用の底板（５）を底板用ネジ穴（６）を利用しネジ止めする。その後プランターを上に置き栽培するとよい。
ただし、ブロックの厚さが１５ｃｍの場合は底板の設置は基本的には必要ない。
【図面の簡単な説明】
【０００７】
【図１】本発明の斜視図である。
【図２】本発明の分解斜視図である。
【図３】本発明の立面図である。
【図４】本発明の側面図である。
【符号の説明】
【０００８】  １  ブロック塀用プランター設置具
２  ブロック設置用ネジ穴
３  側板
４  側板用ネジ穴
５  底板
６  底板用ネジ穴
７  プランター
８  ブロック塀
９  ネジ
【図１】
2010094119.tif 000003
【図２】
2010094119.tif 000004
【図３】
2010094119.tif 000005
【図４】
2010094119.tif 000006
(57)【要約】【課題】    本発明はミツバチの巣箱の中に取り付ける巣枠である。  従来の巣枠は巣礎を取り付けるのに溶かした蜜蝋を使うため手間がかかり、その上、十分に固着できなかった。また、巣枠の再利用に際して、古い巣礎と巣板の撤去が困難であった。【解決手段】  本発明は、巣礎を巣枠上辺の２本の桟で挟むことによって、巣礎の巣枠への固着強化を図り、作業を簡素化した。【選択図】図１
2010094120.tif 000002
【特許請求の範囲】
【請求項１】
上辺の２本の桟で巣礎を挟み、その２本の桟を両側面片の上端に差し込んで固定するミツバチ用巣枠。
【発明の詳細な説明】
【技術分野】
【０００１】  本発明は養蜂に関わる道具である。
【背景技術】
【０００２】  ミツバチは巣を作るとき上から下へ垂直に作っていく。１つの巣箱の中で普通７枚ないし１０枚ほどの巣板を作らせるのであるが、そのそれぞれの巣板を枠の中に作らせると、その枠を引き上げることで巣板を引き上げることができ、採蜜に際して便利である。【０００３】  それを可能にするためには巣板が巣枠の中に、きれいな平面として収まる必要がある。そのためには巣枠に巣礎を取り付けることが肝要である。【０００４】  ミツバチは巣礎があると、それに沿って巣板を作ってゆく。巣礎がないとミツバチは勝手な方向に巣板を伸ばすので、巣枠を引き上げられなくなる。【０００５】  巣礎を巣枠に取り付ける方法として、従来は、巣枠の上辺の桟の下面に掘られた溝に巣礎の上縁をはめ込み、溶かした蜜蝋で固定してきた。
【発明の開示】
【発明が解決しようとする課題】
【０００６】  しかし、この方法は手間がかかるうえに、巣礎を巣枠に十分に固着させるのが困難であった。さらに、巣枠の再利用に際して、古い巣礎の撤去が困難であった。【０００７】  本発明は、巣礎を巣枠に取り付ける方法を簡素化すると同時に、巣礎の巣枠への固着を強化するものである。
【課題を解決するための手段】
【０００８】  巣枠（図１）の上辺の桟（１）は２本の棒を合わせて構成されているのであるが、その２本の棒の間に巣礎（２）を挟み、その桟を、巣枠の側面片（３）の上端に横方向から差し込んで固定すれば、巣枠を巣箱から引き上げるとき、桟が側面板から離脱しない。【０００９】  図２は本発明の側面図で、桟（１）を側面板（３）に固定する方法を示したものである。巣枠の側面片（３）の上端に台形の切り欠き（４）を設け、２本の棒を合わせたら断面が台形になる桟（１）を差し込む。【００１０】  （５）は、両側の側面板（３）の間隔を固定し、巣枠を堅牢にするための細い棒で作られた中間桟である。【００１１】  図３は、本発明を上方から見た平面図である。
【発明の効果】
【００１２】  本発明は、ニホンミツバチ用巣枠として利用する場合が多いことを考慮して、巣礎を短くし、従来の巣枠にあった下辺の桟と、横方向に張られていた線材を取り除き、代わりに細い棒（５）１本を巣枠の中間に、上辺の桟と平行に取り付け、巣枠の強化と、成長した巣板が、この棒を巣板の中に取り込むことで巣板が堅牢化する。【００１３】  また、本発明は、分解、組み立てが容易であり、再利用に際して、古い巣礎と巣板の撤去が容易である。
【発明を実施するための最良の形態】
【００１４】  側面板（３）の上端の切り欠き（４）を、台形でなく円にして、桟（１）を２本合わせて、断面が円になるような丸棒にしてもよいが、本図面のとおりが巣礎の方向が安定するので、最良の形態と考えられる。
【図面の簡単な説明】
【００１５】
【図１】  本発明の正面図
【図２】  本発明の側面図
【図３】  本発明の平面図
【符号の説明】
【００１６】  １    巣枠上辺の桟
２    巣礎
３    巣枠の側面板
４    側面板上端の台形切り欠き
５    細い棒で作られた中間桟
【図１】
2010094120.tif 000003
【図２】
2010094120.tif 000004
【図３】
2010094120.tif 000005
(57)【要約】【課題】  犬への装着を簡単にする事と、犬の身体に雨が滲みこまないようにするため、犬の体形に類似した二重シートに空気を入れたレインコート状雨具を提供する。【解決手段】  犬の体形に類似させた二重シートに空気を入れ正面を∩形状、側面・平面は、側面図の様に犬の上部を囲う構造として装着は乗せるだけの簡単な方法  材質は、塩化ビニールなどで作製し、空気層は１〜３ｃｍ程度として、軽さと柔軟性と防水性を確保して犬に雨がかからず滲みこまないようにした事を特徴とする。【選択図】図２
2010094116.tif 000002
【特許請求の範囲】
【請求項１】
犬の体形に類似する二重シートに、空気を入れ胴部へはめる方法をとるレインコート状雨具
【発明の詳細な説明】
【技術分野】
【０００１】  この発明は、犬の体形に類似させた二重シートに空気を入れ正面を∩形状にする事により、犬の胴体乗せて簡単に装着できる機能と、空気層を設けた事により雨が犬にかからず滲みこまない機能を備えた犬用レインコート状雨具に関するものである。
【背景技術】
【０００２】従来の犬用レインコートは、薄い防水性生地を使用して犬の形状に縫製し、犬の身体を覆い装着する方式の物、防水性のスポンジ生地を使用し、テープで装着する方式の物、バネ状のベルトで装着する方式の物などが、特許実用新案として掲載されている。
商品として多く見かけるのは、薄い防水性生地を縫製し使用している物である。
【発明の開示】
【発明が解決しようとする課題】
【０００３】これは、次のような欠点があった。
（イ）犬の身体を覆い装着する方法、ベルト、テープなどを使用して、装着する方法  どちらも、装着に手間がかかるので、犬も嫌がり、人も苦労する。
（ロ）使用後の脱衣も手間を要し、薄くて扱いにくいので清掃にも時間を要する。
（ハ）使用毎に防水性が減少し、防水スプレーを掛けるメンテが必要である。
（ニ）薄い生地で犬に密着しているので、装着部の隙間より雨水が滲み込みやすい。
（ホ）フードで頭部を覆うので、視界が狭くなり犬に負担がかかる。
（ヘ）薄い生地で犬に密着しての使用なので、通気性が悪い
【課題を解決するための手段】
【０００４】  犬の体形に類似させた二重シートに空気を入れ正面を∩形状にする事で、解決する。
【発明の効果】
【０００５】（イ）犬の胴体に乗せるだけでよく，あたりも柔らかく負担をかけずに装着出来る。
（ロ）使用後の脱衣も抜くだけでよく、空気が入っているので拭いて簡単に清掃出来る。
（ハ）浮き輪系の材質で作製でき、防水のメンテをなくす事が出来る。
（ニ）空気を入れ厚い層にするので、雨のしずくが犬に付着せずに地面に落ちる。
（ホ）前面をオープン状にして装着出来るので、見やすくなり散歩しやすく出来る。
（ヘ）空気層により柔軟性があり波状に作製でき、密着しなく通気性も良好となる。
【発明を実施するための最良の形態】
【０００６】以下、本発明を実施するための最良の形態について説明する。
１．二重シートに空気を入れ正面を∩形状にし、犬の上部を囲い雨がかからない製作とする。
２．装着は乗せるだけでよく、空気層の厚さは、約１〜３ｃｍ程度にし、材質は塩化ビニールなどを使用し軽くて柔軟性と防水性を確保する。
３．シートの作りを空気の送入量に応じ伸ばせる波形又はジャバラ構造にして犬の胴部の長さに応じて調整出来る範囲をおおくする。
本発明は、以上のように、使用しやすく犬に負担をかけない形態を考えた。
【図面の簡単な説明】
【０００７】
【図１】本発明の正面図である。
【図２】本発明の側面図である。
【符号の説明】
【０００８】１  頭の雨よけ部
２  首紐挿入口
３  前方は開放
４  空気送入口
５  胴と足の雨よけ部
６  胴部長さ調整空気室（波形又は、ジャバラ形式）
【図１】
2010094116.tif 000003
【図２】
2010094116.tif 000004
(57)【要約】【課題】  植物を育てるための、土地、設備、技術、時間はないけれど、オリジナル新品種を作りたい夢を持っている人（お客様）へ、オリジナル新品種と、育てた新品種のネーミング権と、その新品種の権利を提供する。【解決手段】  植物生産者（プロ）が、お客様にかわって、植物の品種改良、交配を行い育てた新品種の、ネーミング権と新品種の権利を付けお客様に販売方法と、先にお客様の方から依頼（注文）をうけ品種改良、交配を植物生産者（プロ）が行い、育てた新品種の、ネーミング権と新品種の権利を付けお客様に販売する方法を特徴とする。【特許請求の範囲】
【請求項１】
植物生産者（プロ）が品種改良を行い新品種を、お客様に販売する販売方法と、お客様が植物生産者（プロ）に品種改良を依頼する販売方法
【発明の詳細な説明】
【技術分野】
【０００１】この発明は、植物新品種の販売方法に関するものである。
【技術背景】
【０００２】従来、植物の品種改良、交配は、植物生産者（プロ）又は植物を育てる土地、設備、技術を持った人だけによって行われていた。
【発明の開示】
【発明が解決しようとする課題】
【０００３】これは次のような欠点があった。
従来、植物の品種改良は、植物生産者（プロ）又は植物を育てる土地、設備、技術を持った、ごく限られた人たちによって行われていた。土地、設備、技術、時間がない人は、品種改良、交配又はオリジナル新品種さくせいを行えなかった。
本発明は、以上のような欠点をなくすためになされたものである。
【課題を解決するための手段】
【０００４】  植物生産者（プロ）が、お客様にかわって植物の品種改良、交配を行い新品種を育て、お客様に販売する方法と、先にお客様に依頼された品種改良、交配を植物生産者（プロ）が行い、お客様に販売する方法。本発明は、以上の構成よりなる植物新品種の販売方法である。
【発明の効果】
【０００５】  お客様が、世界でたった一つだけのオリジナル新品種を手にいれ、その新品種のネーミング権から新品種の権利を持つ事が出来る。品種改良、交配を植物生産者（プロ）に、委託するので、植物を育てる土地、設備、技術、時間がない人でも新品種をつくる事が出来る。
【発明を実施するための最良の形態】
【０００６】以下、本発明を実施するための最良の形態について説明する。
植物生産者（プロ）が植物の品種改良、交配を行い、育てた新品種のネーミング権と、新品種の権利の付加価値を付けお客様に販売する方法と、先にお客様の方から依頼（注文）をうけ品種改良、交配を植物生産者（プロ）が行い、育てた新品種のネーミング権と、新品種の権利の付加価値を付けお客様に販売する方法。
(57)【要約】      （修正有）【課題】接着剤等を使用せず、生産性をおとすことなく、ブラシ部と本体を結合する方法を提供する。【解決手段】熔着ブラシ部と本体部を結合する際、金属内に適正量の糸材群を入れ、端面を熔解成形し、本体部結合面に適正個数の金属性凸部を作り糸材群熔解後、樹脂及び金属成分が軟化状態中に本体部を圧接することでブラシ部と本体部を接合する。本体部２には適正個数の凸部３があり、この部分周囲にブラシ部熔解液が周り込み冷却後、ブラシ部と本体部をしっかり固定することができた。【選択図】図２
2010094482.tif 000002
【特許請求の範囲】
【請求項１】
金型内に適正量の糸材群を入れ端面を熔着してできるブラシ部と本体部を結合する際、本体部結合面に適正個数の金属製凸部を作り糸材群熔解後、本体部を圧接することでブラシ部、本体部が接合した熔着ブラシ。
【請求項２】
請求項１の熔着ブラシの結合法であって凸部が樹脂成分でできている接合、熔着ブラシ。
【発明の詳細な説明】
【技術分野】
【０００１】  本発明は熔着ブラシ部と本体部との結合方法に関する。
【背景技術】
【０００２】  熔着ブラシの普及率は現状では低く熔着ブラシ部と本体部との結合方法は接着剤による方法だけと言っても過言ではない。【０００３】  本発明者が、特許出願２００７−２７１８０６で示した本体部に斜めの穴をあけその中に熔解した樹脂を流し込み固定する方法がある。その他にもネジ穴を利用したり、テーパー穴を利用することも考えられた。【０００４】
【文献１】
特許出願２００７−２７１８０６
【発明の開示】
【発明者が解決しようとする課題】
【０００５】  ブラシ部と本体部の結合方法として一番に考えられる方法は接着剤を使用することである。しかし、金属と樹脂においても強度面で不安が残る。まして、樹脂対樹脂の場合はほとんど不可能であることが現状と言える。
【０００６】  よって、加工部品等を研磨する場合などは強度的に問題があった。又、熔着ブラシはブラシ材を直接熔解し成形するため、その容積から本体部分までの一個体成形には無理があった。
【０００７】  実験から分かったことは、ブラシ材を熔解成形する場合、ブラシ形状により多少の差はあるが熔解面の厚さは３ｍ／ｍ程度が限界と考えられる。これ以上の本体部分が必要な場合は、ブラシ部と本体部の強度を保ち生産性をおとさず製品を生産する必要が重要な課題となった。
【課題を解決するための手段】
【０００８】  強度を保ち生産性をおとすことなく、本体部分とブラシ部分を正確に結合する方法を本発明で照会した。
【０００９】  その製造方法は、金型中に適正量の糸材群を入れ端面を熔着してできるブラシ部と本体部を結合する際、本体部結合面に適正個数の凸部を作り、糸材群熔解後本体部を圧接することでブラシ部、本体部を接合させる方法である。
【００１０】  上記製造方法は、たとえば本体が樹脂性の押しピンや、スパイク靴のスパイク部で知られている。この考えをブラシ結合に最適なように考えたものである。
【００１１】  凸部の形状は、樹脂が凸部周囲に周り込んで結合し冷却後脱落しない形状たとえば、本体部分に近い部分が細くなったテーパー形状のものが最適といえる。
【００１２】  又、樹脂の凸部周囲への回り込みを円滑にする目的から凸部を８０℃〜２００℃位に予熱することが好ましい。ただし樹脂性凸部の場合の予熱温度は８０℃〜１００℃位となる。
【００１３】  凸部の物成分は、金属、樹脂が考えられるが、ガラス繊維、グラスファイバー、カーボン系でも可能と言える。
【発明の効果】
【００１４】  本体部分に適正個数設けた凸部に樹脂が巻き付くため、研磨作業などブラシ部に強度が必要な場合でも十分対応できる。
【００１５】  接着剤を使用しないため価格、接着作業による生産力の低下がなくなった。
【００１６】  接着剤の使用できない分野、たとえば医療、食品関係にも安心して使用できる。又、金属成分を一切使用せず樹脂のみのブラシの製造ができることから、金属の使用できない場所での使用やリサイクル性にも最適である。
【発明を実施するための最良の形態】
【００１７】  以下、本発明の実施形態を図面に基づいて説明する。【００１８】  まず最初に、金属内に適正量の糸材群を入れ、端面を熔解成形してできあがったブラシが図１である。１はブラシ部を、１ａはブラシ結合部を、１ｂはブラシ熔着成形部を示す。【００１９】  上記ブラシ部熔解工程が終了し樹脂及び金属成分が軟化状態中に本体部２を圧接する。この本体部２には適正個数の凸部３があり、この部分周囲にブラシ部熔解液が周り込み冷却後、ブラシ部と本体部をしっかり固定することができた。【００２０】  前期したように、凸部３は予め熱しておくと溶解樹脂の周り込みがスムーズである。【００２１】  凸部の数は、円形状の場合は大きさにもよるが４個〜８個つまり４等分〜８等分が適当であると考える。又、凸部の高さは約２ｍ／ｍ〜５ｍ／ｍが普通であり、凸部を簡単に作る方法として傘形状のネジを使用すると低コストとなる。ネジの大きさはＭ２〜Ｍ４位と考える。この方法は本体が木材に対しても有利である。
【図面の簡単な説明】
【００２２】
【図１】本発明で製造されるブラシ部斜指図。
【図２】本発明でブラシ部と結合させる本体部斜指図。
【符号の簡単な説明】
【００２３】  １．  ブラシ部
１ａ．ブラシ結合部
１ｂ．ブラシ熔着成形部
２．  本体部
３．  凸部
【図１】
2010094482.tif 000003
【図２】
2010094482.tif 000004
(57)【要約】【課題】階段の上り下りが容易で走行中の引張力及び騒音を低減するスーツケースを提供する。【解決手段】車輪の両側面に収納函を取り付けたことを特徴としたスーツケース。【選択図】図１
2010094489.tif 000002
【特許請求の範囲】
【請求項１】
車輪の両側面に収納函を取り付けたスーツケース。
【請求項２】
（イ）車輪を貫通した車軸の両端部に夫々収納函を取り付け固定する。
（ロ）車輪の外周部に車輪の横振れ防止具を設け、これを収納函に取り付け固定する。
（ハ）車輪の外周面の少くとも１／４が収納函の外周面より外側に位置する。
（ニ）側面から見た場合、収納函の中心が車輪の中心と収納函底部に設けられた踵の中心との間に位置する。
以上のごとく構成された請求項１のスーツケース。
【請求項３】
少くとも片側の収納函は複数の部屋に仕切られ、夫々独立した蓋を設けた請求項１のスーツケース。
【請求項４】
収納函の本体及び蓋の側面に夫々車輪を取り付け夫々車輪格納カバーを設けたスーツケース。
【請求項５】
請求項２を構成する請求項４のスーツケース。
【発明の詳細な説明】
【技術分野】
【０００１】  本発明は階段の上り下りを容易にし、かつ、引張力の低減及び走行中の騒音低減を計るスーツケースに関するものである。
【背景技術】
【０００２】  従来のスーツケースは収納函底部に小さなコロを設けたキャスターが取り付けられていた。
【発明の開示】
【発明が解決しようとする課題】
【０００３】  小さいコロ故にこれに起因する次の様な問題点があった。
（イ）階段の上り下り時、そのまゝ階段を乗り越えることが出来ないのでスーツケースを持ち上げる必要があった。
（ロ）特に重量物を詰めて走行する場合、大きな引張力が必要となり、高齢者や女性には負担となっていた。
（ハ）走行中のコロと地面との接触音が騒音として発生しており、地表が荒れている道路では、特にひどい騒音を撒き散らしていた。
【課題を解決するための手段】
【０００４】  コロの代りに大きな車輪を用い、その両側面に収納函を取り付けた。
本発明は以上を特徴としたスーツケースである。
【発明の効果】
【０００５】（イ）図６に示すように、階段の高さ１３より大きな半径１４を有する車輪を用いることにより、階段を容易に乗り越えることが出来る。
（ロ）コロや車輪が平面上の静止位置からすべること無く、ころがり始める時のコロや車輪に作用する垂直荷重と引張荷重の関係について、機械工学便覧改訂第５版編３の５・２項で図７に示すような関係式を与えている。この式は引張力はコロや車輪の半径に反比例することを示しており、例えば本発明の車輪の半径が、従来のスーツケースに使用されているコロの１０倍の大きさとすると、その引張力は従来のスーツケースに対し１／１０に低減されることになりその効果は絶大となる。
（ハ）スーツケースの走行中の騒音は、コロと地面との衝突によって発生するもので、その発生機構を図８により以下説明する。
従来スーツケースのコロ１５のａ点は地面１６のｃ点に衝突する。本発明の車輪１のｂ点も地面１６のｃ点に衝突する。このことから衝突するまでの距離は従来スーツケースのコロの方が大きいことが分かる。一方、車輪１がコロ１５の１０倍の半径を有していると考えると、車輪１が１回転して進行する距離を、コロは１０回転することになり、コロの角速度は車輪の１０倍となる。言い換えれば本発明は従来スーツケースの１／１０のスピードで衝突することになり、また、前記のように衝突に至るまでの距離も小さいので騒音をほとんど発生すること無くその効果は絶大である。
【発明を実施するための最良の形態】
【０００６】以下、本発明の実施の形態について説明する。
（イ）車輪１の両側面に収納函２を配し、車輪１に貫通した車軸３の両端部に収納函２を取り付け固定する。
（ロ）車輪１の外周部に車輪横振れ防止具４を配し、これを収納函２に取り付け固定する。
（ハ）収納函２同志を固結するために、必要に応じ収納函連結具５を取り付ける。
（ニ）側面から見た場合、収納函２の中心８は車輪１の中心７と踵６の中心９との間に位置する。
（ホ）車軸１の外周面の少くとも１／４は収納函２の外周面２′より外側に位置する。
（ヘ）収納函２の少くとも片側は、２Ａ、２Ｂのように部屋に仕切られ、夫々に独立した蓋を設ける。
本発明は以上のような構成で、階段の高さ１３より大きな半径１４を有する車輪を用いることと上記（ホ）項により、図６に示すように収納函が階段の角に当ること無く、階段を乗り越えられ、上り下りが容易に出来る。
静止する時は上記（ニ）項により、収納函は倒れること無く静止出来る。
また、本発明は上記（ヘ）項により、収納物の大小により区別して収納出来るので、収納効率が高くなると同時に、走行中、例えば御土産等を購入した時の蓋の開閉に大きな利便性を発揮することが出来る。
【図面の簡単な説明】
【０００７】
【図１】本発明の斜視図
【図２】本発明の蓋を除いた状態の側面図
【図３】図２の断面図
【図４】本発明の斜視図
【図５】図４の断面図
【図６】本発明の使用状態を示す側面図
【図７】本発明の機能を説明する解説図
【図８】本発明の機能を説明する解説図
【符号の説明】
【０００８】  １．車輪
２．収納函
３．車軸
４．車軸横振れ防止具
５．収納函連結具
６．踵
７．車輪の中心
８．収納函の中心
９．踵の中心
１０．収納函本体
１１．収納函蓋
１２．車輪格納カバー
１３．階段の高さ
１４．車輪の半径
１５．従来スーツケースのコロ
１６．地面
【図１】
2010094489.tif 000003
【図２】
2010094489.tif 000004
【図３】
2010094489.tif 000005
【図４】
2010094489.tif 000006
【図５】
2010094489.tif 000007
【図６】
2010094489.tif 000008
【図７】
2010094489.tif 000009
【図８】
2010094489.tif 000010
(57)【要約】【課題】この発明は歯の間にゴム等の伸縮素材でできたゴムようじを入れひっぱるだけで歯間につまった食物なとを取りのぞくことができマッサージ効果  歯石予防もできる。今まで引っぱるだけで取り除けるものはなかった。【解決手段】半円状の柄（３）にゴム等の伸縮素材（１）をゴム止め（４）て止めて、ゴム等伸縮素材（１）を歯間に入れ引っぱることにより可動部（６）が歯にあたり可動部（６）が動きゴム（１）が伸び引っぱるだけで歯の外に出ることにより歯間につまったゴミや食物が取り除ける。可動部（６）は可動部止め（５）により動くようになっておりストッパー（２）により内側には動かないようになっている。【選択図】図１
2010094488.tif 000002
【特許請求の範囲】
【請求項１】
歯の間につまった食物などを簡単に引っぱるだけで取りのそくようじであり歯間に入れる部分がゴム等の伸縮素材でできており先端部が可動することにより歯の間に入れ引っぱるだけで歯間につまったゴミや食べカス等を取り除くことができる。またゴム等の伸縮素材の形状を変えるとマッサージ効果も期待できる。従来のようじに比べ引っぱるだけなので便利である。
【発明の詳細な説明】
【発明の詳細な説明】
この発明は歯の間につまったゴミや食べ物を簡単に取り除けるように半円状の柄（３）にゴム等の伸縮素材（１）をゴム止め（４）で止める。ゴム（１）を歯間に入れ引っぱることにより可動部（６）が歯にあたり可動部（６）が動き引っぱるだけで歯の外に出る。
可動部（６）は可動部止め（５）に取りつけられており可動しストッパー（２）により内側には動かないようになっている。またゴム等の伸縮素材は丸形、四角等の多様な形状でもよくマッサージ効果が期待できる。柄（３）は半円状でも四角等でもよい。可動部（６）はバネ等の形状回復するものでもよい。歯石予防にもなる。
【図面の簡単な説明】
【図１】本発明の正面図である。
【図２】本発明の側面図である。
【符号の説明】
（１）ゴム等伸縮素材（２）ストッパー（３）柄（４）ゴム止め（５）可動部止め
（６）可動部
【図１】
2010094488.tif 000003
【図２】
2010094488.tif 000004
(57)【要約】      （修正有）【課題】ＣＤや本を収納する棚の収容量を倍増し、外箱を付加しなくても安定した構造の棚を提供する。【解決手段】収納棚を左右両面または前後両面から利用出来るように、左右または前後に背中合わせに棚Ｅ、Ｆを配置し外箱などを付加しなくとも安定できる全体形状とし、底部にストッパー付きキャスターＣを取り付ける。さらに各々の棚の前面に扉Ａ、Ｂを取り付け、ホコリ等の侵入を防ぐ。【選択図】図１
2010094483.tif 000002
【特許請求の範囲】
【請求項１】
ＣＤ  本等を収納する箱で左  右の両方に収納できる構造を持つ収納箱。
【請求項２】
底部にストッパー付きで全方向に動くキャスターを取り付けた請求項１記載の収納箱。
【請求項３】
棚の左右両面表面に扉を付けた請求項１記載の収納箱。
【発明の詳細な説明】
【技術分野】
【０００１】この発明は棚の両面に収納できるようにした事を特徴とする。
【背景技術】
【０００２】従来からＣＤ等収納する棚はいろいろ市販されているが  その棚は片面のみの使用のため幅が狭く大変不安定であり  又この棚を収納するための外箱を作る必要があった。
【発明の開示】
【発明が解決しようとする課題】
【０００３】幅の狭い棚を背中合わせにすることにより幅が広く安定した構造になる。【０００４】かつ棚の表にドアを付けることにより従来のようにもう一つ外箱を必要とせずホコリの進入を防ぎ清潔に保管できる。
【課題を解決するための手段】
【０００５】幅の狭い棚を背中合わせにすることにより安定性はよくなると共に両面使いやくする為の工夫が必要になった。【０００６】そのために底部にストパー付きの３６０度自由に回転出来るキャスターをとりつけた。
【発明の効果】
【０００７】この発明により収納効率は倍増し  棚２台分を１台分と同程度の時間で生産出来効率がよくなり  外箱が不要になり使用材料も少なく省エネと安価に提供出来る。
【図面の簡単な説明】
【０００８】
【図１】製品の立体図
【符号の説明】
Ａ  収納箱左面のドア
Ｂ  収納箱右面のドア
Ｃ  回転自由なストパー付きキャスター
Ｄ  移動用のハンドル
Ｅ  左の収納棚
Ｆ  右の収納棚
【図１】
2010094483.tif 000003
(57)【要約】【課題】ローラースケートは一般に四輪で構成され、走向方向の変更は、体重を一方の足にかけて他方を変更方向に踏み出すことで行なわれる。前輪系と後輪系が機械的に独立し、靴台との間に緩衝材が存在する場合でも、それは走向方向の変更に十分に貢献しないので、肉体的疲労が大きい。【解決手段】前輪二つと後輪一つで構成される三輪ローラースケートで、後輪は、進行方向に対して鉛直および水平に角度をつけられる構造とし、その水平の角度は、鉛直回転軸に固定された靴台の進行方向に鉛直の倒れと機械的に連関させ、また、靴台のある値以上の鉛直の倒れでは、スプリングを介して、前輪共通軸に設けたブレーキ板で摩擦を起こさせて、路面との間に制動力が働くように構成する。この構成にすることによって、体重を移動し身体を傾けるさせることで、後輪が廻り込んで走向方向が変更され、疲労の少ない走向を楽しむことを可能とする。【選択図】図１
2010094486.tif 000002
【特許請求の範囲】
【請求項１】
前輪二つと後輪一つで構成される三輪ローラースケートで、後輪は、進行方向に対して鉛直および水平に角度をつけられる構造とし、
その水平の角度は、鉛直回転軸に固定された靴台の進行方向に鉛直の倒れと機械的に連関させ、
また、靴台のある値以上の鉛直の倒れでは、スプリングを介して、前輪共通軸に設けたブレーキ板で摩擦を起こさせて、路面との間に制動力が働くように構成したもの
【発明の詳細な説明】
【技術分野】
【０００１】この発明は、遊戯具であるローラースケートに関する。
【背景技術】
【０００２】一般に、ローラースケートは四輪で構成され、走向方向の変更は、体重を一方の足にかけて他方を変更方向に踏み出すことで行なわれる。
前輪系と後輪系が機械的に独立し、靴台との間に緩衝材が存在する場合でも、それは走向方向の変更に十分に貢献しない。
【発明の開示】
【発明が解決しようとする課題】
【０００３】ローラースケートを、前輪二つと後輪一つで構成し、体重を移動し身体を傾けるさせることで、後輪が廻り込んで走向方向が変更され、もって疲労の少ない走向を楽しもうとするものである。
【課題を解決するための手段】
【０００４】前輪二つと後輪一つで構成される三輪ローラースケートで、後輪は、進行方向に対して鉛直および水平に角度をつけられる構造とし、
その水平の角度は、鉛直回転軸に固定された靴台の進行方向に鉛直の倒れと機械的に連関させ、
また、靴台のある値以上の鉛直の倒れでは、スプリングを介して、前輪共通軸に設けたブレーキ板で摩擦を起こさせて、路面との間に制動力が働くように構成する
【発明の効果】
【０００５】体重を移動し身体を傾けるさせることで、走向方向が変更され、疲労の少ない走向を楽しむことができる。
また、大きく倒れ込むことで走向に対する制動力を得ることができる。
【発明を実施するための最良の形態】
【０００６】この発明の一実施形態を図１の平面図、立面図に示す。
2010094486.tif 000003
Ａはボールベアリング軸受、Ｂはスラスト軸受で、ともにフレームＣに固着されている。Ｂは靴台で、鉛直回転軸と一体になっている。
図２で分かるように、後輪は鉛直回転軸の回転に伴い倒れ、またスラスト軸受があるので、首を振ることになる。
しかし、フレームに結ばれたワイヤロープＥからの力で、その角度は、倒れと一定の関係に縛られる。
たとえば、プレーヤが身体を左に倒すと、後輪が時計方向によじれ、スケート後部は右に周り込むことになる。
2010094486.tif 000004
図３は、大きく倒れこんだ時、ブレーキ・シューＦで両前輪の回転にブレーキをかけ、制動力を得る仕組みを示している。
【図面の簡単な説明】
【図１】三輪ローラースケートの平面図・立面図である。
【図２】後輪部中央の断面図である。鉛直回転軸には靴台Ｄが固定されている。後輪部前端にあるワイヤロープＥはフレームＣと結ばれる。
【図３】前輪部中央の断面図である。フレームＣには前輪軸受と鉛直軸受が設けられる。
【符号の説明】
Ａ−    ボールベアリング軸受        Ｂ−    スラスト軸受
Ｃ−    フレーム                    Ｄ−    靴台
Ｅ−    ワイヤロープ                Ｆ−    ブレーキ・シュー
【図１】
2010094486.tif 000005
【図２】
2010094486.tif 000006
【図３】
2010094486.tif 000007
(57)【要約】      （修正有）【課題】名入れやデザインを入れ替可能にし、野球グローブの機能を損なわずにデザイン性を高める。【解決手段】野球グローブのネームプレートを取付ける箇所に設けたグローブ本体窓２の裏側よりマジックテープ（登録商標）凹３をグローブの表面にマジックテープ（登録商標）凹３が出るように縫製等により取付ける。革等の生地５に刺繍等６で名前やデザインを入れる。この革等の生地５にマジックテープ（登録商標）凸４を縫製等により取付ける。この時凸面が表になるように刺繍等６と背中合わせに取付ける。これをネームプレート脱着機能付野球グローブに取付けられるようにグローブ本体窓より少し小さめにネームプレートとして仕上げる。このネームプレートを、ネームプレート脱着機能付野球グローブにマジックテープ（登録商標）を利用して取付けて使用する。【選択図】図２
2010094477.tif 000002
【特許請求の範囲】
【請求項１】
野球グローブのネームプレートを取付ける箇所にグローブ製作段階で裁断パーツにネームプレートの大きさにグローブ本体窓（２）を開けておく。
このグローブ本体窓（２）の裏側よりマジックテープ凹（３）を、グローブの表面にマジックテープ凹（３）が出るように縫製（７）等により取付ける。
以上の様にして作った裁断パーツを使用して仕上げる、ネームプレート脱着機能付野球グローブ。
【請求項２】
ネームプレート脱着機能付野球グローブのマジックテープ部の大きさより少し大きめに裁断した革等の生地（５）に刺繍等（６）で名前やデザインを入れる。
この革等の生地（５）に、マジックテープ凸（４）を縫製（７）等により取付ける。この時、凸面が表になるように刺繍等（６）と背中合わせに取付ける。
これを、ネームプレート脱着機能付野球グローブに取付けられるようにグローブ本体窓（２）より少し小さめに裁断して仕上げるネームプレート。
【発明の詳細な説明】
【技術分野】
【０００１】  本発明は、ネームやデザイン等を記入したプレートを野球グローブ本体に脱着出来る機能を持たせたもので、野球用品に関するものである。
【背景技術】
【０００２】  従来、野球グローブにネーム入れや、デザイン等の記入をする場合、製品に仕上げる段階でグローブの裁断パーツの状態でネーム等の記入を行いましたが、この場合、別注のグローブとなります。
【発明の開示】
【発明が解決しようとする課題】
【０００３】  別注の野球グローブは、製造過程でネーム入れ等の記入をする事が出来るが、出来上がった状態で販売されている野球グローブにネーム入れ等をする事は極めて困難である。しかし、現在、手持ちのグローブにネーム入れ等をしたいと願う人は多く居る。また、別注のグローブに名前を入れている人でも、一度入れたネーム等を違う名前に入れ替えたり、デザインやチーム名等を追加したり変更する事は出来ない。
【課題を解決するための手段】
【０００４】  野球グローブの製造段階で、グローブとしての機能を妨げない位置にグローブ本体窓（２）を開け、内側からマジックテープ凹（３）をグローブ本体窓（２）を埋める様に縫製（７）して固定する。これに対し、革等の生地（５）に刺繍等（６）で名前やデザインを入れ、その裏側にマジックテープ凸（４）を縫製等（７）により仕上げたネームプレート。これをマジックテープの装着力を利用して野球グローブに取付けて使用する。【０００５】  本発明は、以上の構成より成る、ネームプレート脱着機能付野球グローブとネームプレートである。
【発明の効果】
【０００６】  現在、一般に販売されている野球グローブに対し、刺繍等によるネーム入れや、デザインを記入する事は極めて困難である。ネームプレート脱着機能付野球グローブとネームプレートは、ネームプレートに名前やチーム名、デザインなどを施し、これをグローブに取付ける事が出来、ネームプレートを交換する事によりデザイン等を替える事が出来る。また、お下がりのグローブであっても名前を付け替えて使用する事ができる。
【発明を実施するための最良の形態】
【０００７】  以下、本発明の形態を説明する。【０００８】  野球グローブの製造過程で、グローブとしての機能を妨げない箇所の裁断パーツにグローブ本体窓（２）を開ける。【０００９】  内側からマジックテープ凹（３）を縫製（７）等により取付ける。この時、裁断パーツの表側にマジックテープ凹（３）の表が出るように取付ける。【００１０】  この裁断パーツを使用して仕上げるネームプレート脱着機能付野球グローブ。【００１１】  このネームプレート脱着機能付野球グローブに対し、革等の生地（５）に刺繍等（６）で、名前やデザインを記入する。【００１２】  刺繍等（６）を施した革等の生地（５）の裏面に、マジックテープ凸（４）を縫製（７）等で取付ける。【００１３】  ネームプレート脱着機能付野球グローブの露出しているマジックテープ凹（３）に取付け出来る大きさに裁断して仕上げるネームプレート。【００１４】  ネームプレート脱着機能付野球グローブの凹（３）に、ネームプレートの凸（４）を利用して取付け使用する。【００１５】  本発明は以上の構成より成る。
【実施例】
【００１６】  野球グローブのグローブとしての機能の妨げにならない箇所に取付けたマジックテープ凹に対し、名前やチーム名、四字熟語などのデザインをしたネームプレートの凸面を取付けて使用する。
【産業上の利用の可能性】
【００１７】  野球グローブの名前の記入が容易に出来るようになり、また、ネームプレートを取り替える事が出来るので一人で色々なネームプレートを集める人が増え、ネームプレートの需要が発生する。
【００１８】  チームごとにネームプレートをそろえたり、個人の心情を記したネームプレートを、ネームプレート脱着機能付野球グローブに取付けて使用出来る。
【図面の簡単な説明】
【００１９】
【図１】  本発明の使用時全体図
【図２】  本発明の重要箇所斜視図
【図３】  本発明のグローブ側断面図
【図４】  本発明のネームプレート断面図
【符号の説明】
【００２０】  （１）ネームプレート  （２）グローブ本体窓  （３）マジックテープ凹  （４）マジックテープ凸  （５）革等の生地  （６）刺繍等  （７）縫製
【図１】
2010094477.tif 000003
【図２】
2010094477.tif 000004
【図３】
2010094477.tif 000005
【図４】
2010094477.tif 000006
(57)【要約】【課題】従来の洗濯ばさみは、洗濯物を挟む、放す際に、洗濯ばさみを押さえ続けるため指の力を出し続けるので負担であった。【解決手段】ばね固定位置と回転中心が成す直線に対し、ばね固定位置にかかるばねの力の向きが、はさみ部の開閉にて上下に反転する位置にばねを固定する。これにより、はさみ部を開き続ける必要が無いため、指の力を出す時間が減り労力が低減できる。更に片手での洗濯物を挟む操作もし易くなる。また、支点に対し左右両側にはさみ部が設けられるため、洗濯物を挟む際に洗濯ばさみを回してはさみ部を洗濯物に向けなくても挟めるようになり、操作性が向上した。【選択図】図１
2010094471.tif 000002
【特許請求の範囲】
【請求項１】
ばね固定位置と回転中心が成す直線に対し、ばね固定位置にかかるばねの力の向きが、はさみ部の開閉にて上下に反転する位置にばねを固定する洗濯ばさみ。
【請求項２】
ばね固定位置と回転中心が成す直線に対し、ばね固定位置にかかるばねの力の向きが、はさみ部の開閉にて上下に反転する位置にばねを固定する洗濯ばさみにおいて、回転中心に対し左右両側にはさみ部を設けた洗濯ばさみ。
【発明の詳細な説明】
【技術分野】
【０００１】  本発明は、一般家庭用の洗濯ばさみに関する。
【背景技術】
【０００２】  従来の洗濯ばさみはリングばねをはさみ部の上下に固定している。これは、リングばねの復元力により、常にはさみ部を閉じるように、回転中心まわりにモーメントが働いている。これにより、はさみ部を開いた状態にし続けるためには、つまみ部を指でつまみ続ける必要がある。また、はさみ部の開きが大きくなるほど指の発揮保持荷重も大きくなっている。
【特許文献１】公開特許公報    特開２００７−８３００４
【発明の開示】
【発明が解決しようとする課題】
【０００３】  従来のリングばねをはさみ部の上下に固定している洗濯ばさみは、はさみ部を開く際に、回転中心に対して、はさみ部の対称側にあるつまみ部を指で押し続ける必要がある。これは洗濯物をはさむ、放す際に、ばねの復元力の大きいところで保持し続けるため指にかかる負担が大きく、多くの洗濯物を干す、取り込む際に、多大な労力が必要となっている。【０００４】  本発明は、従来の洗濯ばさみの操作となっている、つまみ部を指で押し続ける操作を無くし、洗濯ばさみの操作労力を低減することを目的とする。
【課題を解決するための手段】
【０００５】  ばね固定位置と回転中心が成す直線に対し、ばね固定位置にかかるばねの力の向きが、はさみ部の開閉にて上下に反転する位置にばねを固定する。
【発明の効果】
【０００６】  本発明の洗濯ばさみは、はさみ部は常に開いた状態か閉じた状態かに自然と保持される。はさみ部が開いた状態から、はさみ部の外側を指で押して閉じて行くとばねの復元力によって、開いた状態に保持しようするモーメントの向きが反転してはさみ部が閉じられ、その状態が保持される。このため、指で洗濯ばさみを押す時間が減り、労力が低減される。また、つまみ部が開いた状態も保持されるため片手での洗濯物を挟む操作もし易くなる。更に、支点に対し左右両側にはさみ部が設けられるため、洗濯物を挟む際に洗濯ばさみを回してはさみ部を洗濯物に向けなくても挟めるようになり、操作性が向上する。
【発明を実施するための最良の形態】
【０００７】  以下、本発明の実施の形態を図１〜図４に基づいて説明する。【０００８】  本発明の洗濯ばさみの形態は、図１、図２、図３、図４に示すように、外側片方外側両方、内側のいずれかに位置にて、ばね１０の一端を洗濯ばさみ上側１の上側ばね固定位置４に固定し、ばね１０の他方の端を洗濯ばさみ下側２の下側ばね固定位置３に固定し、構成する。【０００９】  以下、上記構成による動作、原理について説明する。図１、図２、図４においてばね１０の復元力により上側ばね固定位置４に働く洗濯ばさみ上側１を洗濯ばさみ下側２に押し付けようとする力の向きは、上側ばね固定位置４と回転中心９が成す直線に対し上側に存在する。このため、回転中心９まわりに働く洗濯ばさみ上側１へのモーメントは左回りとなるので、左側はさみ部５は閉じた状態に保持される。【００１０】  左側はさみ部５が閉じた状態から、右側操作部８を摘まんで行くと、上側ばね固定位置４に働く力の向きが上側ばね固定位置４と回転中心９が成す直線へと近づい行き、直線を過ぎた瞬間に、この力が直線に対し下側に存在するようになる。このため、回転中心９まわりに働く洗濯ばさみ上側１へのモーメントの向きが右回りに変わり、右側はさみ部６が閉じ、左側はさみ部５が開いた状態が保持される。【００１１】  上述した原理により、ばね固定位置と回転中心が成す直線に対し、ばね固定位置にかかるばねの力の向きが、はさみ部の開閉にて上下に反転する位置にばねを固定することで、ばねの復元力によりはさみ部の開閉が保持できるため、従来のようにはさみ部を開いた状態を保持する際に、指の力が必要ない。また、はさみ部に対し他方を操作部とする必要もない。よって、操作労力が低減できる。
【図面の簡単な説明】
【００１２】
【図１】洗濯ばさみ外側にコイルばねを用いた場合の正面図
【図２】洗濯ばさみ外側にリングばねを用いた場合の正面図
【図３】洗濯ばさみ外側にリングばねを用いた場合の上面図
【図４】洗濯ばさみ内側にコイルばねを用いた場合の側面図
【符号の説明】
【００１３】１  洗濯ばさみ上側
２  洗濯ばさみ下側
３  下側ばね固定位置
４  上側ばね固定位置
５  左側はさみ部
６  右側はさみ部
７  左側操作部
８  右側操作部
９  回転中心
１０  ばね
【図１】
2010094471.tif 000003
【図２】
2010094471.tif 000004
【図３】
2010094471.tif 000005
【図４】
2010094471.tif 000006